(57)【特許請求の範囲】
【請求項１】
カラー画像信号を複数のプレーンに分解する入力手段と、
分解された前記複数のプレーンから前記カラー画像信号における白画素を判定する白画素判定手段と、
前記白画素判定手段により白画素と判定された画素を分離する白画素分離手段と、
分離された前記白画素の前記カラー画像信号における位置を記憶する位置情報記憶手段と、
前記白画素の分離された前記カラー画像信号に対して色変換またはガンマ補正を施す第１の画像処理手段と、
前記第１の画像処理手段により処理された前記カラー画像信号と分離され色変換およびガンマ補正を施さない前記白画素とを前記位置情報記憶手段に記憶された位置情報に基づいて再結合する白画素結合手段と、
前記白画素の再結合された前記カラー画像信号に解像度変換または二値化処理を施す第２の画像処理手段とを有することを特徴とする画像処理装置。
【請求項２】
カラー画像信号を複数のプレーンに分解する入力手段と、
分解された前記複数のプレーンから前記カラー画像信号における白画素を判定する白画素判定手段と、
前記白画素判定手段により白画素と判定された画素を分離する白画素分離手段と、
分離された前記白画素の前記カラー画像信号における位置を記憶する位置情報記憶手段と、
分離された前記白画素の輝度を濃度に変換する白画素濃度変換手段と、
前記白画素の分離された前記カラー画像信号に対して色変換またはガンマ補正を施すとともに当該カラー画像信号の輝度を濃度に変換する濃度変換処理を施す第３の画像処理手段と、
前記第３の画像処理手段により処理された前記カラー画像信号と分離され色変換およびガンマ補正を施さず前記白画素濃度変換手段により輝度が濃度に変換された前記白画素とを前記位置情報記憶手段に記憶された位置情報に基づいて再結合する白画素結合手段と、
前記白画素の再結合された前記カラー画像信号に解像度変換または二値化処理を施す第２の画像処理手段とを有することを特徴とする画像処理装置。
【請求項３】
カラー画像信号を複数のプレーンに分解する入力手段と、
分解された前記複数のプレーンから前記カラー画像信号における白画素を判定する白画素判定手段と、
前記白画素判定手段により白画素と判定された画素を分離する白画素分離手段と、
分離された前記白画素の前記カラー画像信号における位置を記憶する白画素位置情報記憶手段と、
分解された前記複数のプレーンから前記カラー画像信号における黒画素を判定する黒画素判定手段と、
前記黒画素判定手段により黒画素と判定された画素を分離する黒画素分離手段と、
分離された前記黒画素の前記カラー画像信号における位置を記憶する黒画素位置情報記憶手段と、
前記白画素および前記黒画素の分離された前記カラー画像信号に対して色変換またはガンマ補正を施す第１の画像処理手段と、
前記第１の画像処理手段により処理された前記カラー画像信号と分離され色変換およびガンマ補正を施さない前記白画素および前記黒画素とを前記白画素位置情報記憶手段および前記黒画素位置情報記憶手段にそれぞれに記憶された位置情報に基づいて再結合する白黒画素結合手段と、
前記白画素および前記黒画素の再結合された前記カラー画像信号に解像度変換または二値化処理を施す第２の画像処理手段とを有することを特徴とする画像処理装置。
【請求項４】
カラー画像信号を複数のプレーンに分解する入力手段と、
白画素と判定されるあらかじめ設定された閾値と分解されたプレーンのレベルとを比較して前記カラー画像信号における白画素を判定する白画素判定手段と、
前記白画素判定手段により白画素と判定された画素を分離する白画素分離手段と、
分離された前記白画素の前記カラー画像信号における位置を記憶する位置情報記憶手段と、
分離された前記白画素を一つの値にする白画素同値化手段と、
前記白画素の分離された前記カラー画像信号に対して色変換またはガンマ補正を施す第１の画像処理手段と、
前記第１の画像処理手段により処理された前記カラー画像信号と分離され色変換およびガンマ補正を施さず前記白画素同値化手段により一つの値にされた前記白画素とを前記位置情報記憶手段に記憶された位置情報に基づいて再結合する白画素結合手段と、
前記白画素の再結合された前記カラー画像信号に解像度変換または二値化処理を施す第２の画像処理手段とを有することを特徴とする画像処理装置。
【請求項５】
カラー画像信号を複数のプレーンに分解する入力手段と、
注目画素の処理において周辺画素情報が必要とされる画像処理を施す第４の画像処理手段と、
分解された前記複数のプレーンから前記カラー画像信号における白画素を判定する白画素判定手段と、
前記白画素判定手段により白画素と判定された画素を分離する白画素分離手段と、
分離された前記白画素の前記カラー画像信号における位置を記憶する位置情報記憶手段と、
前記白画素の分離された前記カラー画像信号に対して色変換またはガンマ補正を施す第１の画像処理手段と、
前記第１の画像処理手段により処理された前記カラー画像信号と分離され色変換およびガンマ補正を施さない前記白画素とを前記位置情報記憶手段に記憶された位置情報に基づいて再結合する白画素結合手段と、
前記白画素の再結合された前記カラー画像信号に解像度変換または二値化処理を施す第２の画像処理手段とを有することを特徴とする画像処理装置。
【発明の詳細な説明】
【０００１】
【発明の属する技術分野】
本発明は、カラー画像入出力装置の画像処理装置に関し、特に、カラー画像における画像処理速度の高速化に適用して有効な技術に関する。
【０００２】
【従来の技術】
近年において、カラープリンタ装置やカラースキャナ装置での画像処理は、色の再現性の追求とともに、いかに高速にカラー画像処理を行うかに重点が置かれている。
【０００３】
ここで、画像処理の高速化を図るためには、画像処理部のハードウェア化が有効である。そして、このようなハードウェア化によれば、フォント情報をハード化することで、文字を高速に処理することも可能になる。
【０００４】
また、ハード処理とソフト処理における共通の高速化手段として、ルックアップテーブルによる画素値変換などの技術がある。
【０００５】
さらに、伝送路におけるファイル転送時の高速化手段として、様々な圧縮技術が提案されている。
【０００６】
今後はコンピュータ装置の処理速度が一層向上してゆくと思われることから、ハードウェアを新たに作成しなくても、コンピュータ装置側のソフトウェアで画像の高速処理を実現することが可能と考えられる。そのため、画像処理アルゴリズム自体で高速化を図ることは、全体の高速化に非常に大きな意味がある。
【０００７】
【発明が解決しようとする課題】
しかしながら、ハードウェアによる画像処理の高速化は、コスト増の要因となる。
【０００８】
また、伝送路における圧縮での画像処理の高速化は、伝送路自体の転送速度が向上するため、カラー画像信号も瞬時に転送可能になる。
【０００９】
そこで、本発明は、低コストでカラー画像処理速度の高速化を図ることのできる画像処理装置を提供することを目的とする。
【００１０】
【課題を解決するための手段】
この課題を解決するために、本発明の画像処理装置は、カラー画像信号を複数のプレーンに分解する入力手段と、分解された複数のプレーンからカラー画像信号における白画素を判定する白画素判定手段と、白画素判定手段により白画素と判定された画素を分離する白画素分離手段と、分離された白画素のカラー画像信号における位置を記憶する位置情報記憶手段と、白画素の分離されたカラー画像信号に対して色変換またはガンマ補正を施す第１の画像処理手段と、第１の画像処理手段により処理されたカラー画像信号と分離され色変換およびガンマ補正を施さない白画素とを位置情報記憶手段に記憶された位置情報に基づいて再結合する白画素結合手段と、白画素の再結合されたカラー画像信号に解像度変換または二値化処理を施す第２の画像処理手段とを有する構成としたものである。
【００１１】
これにより、カラー画像処理における高速化を低コストで実現することが可能になる。
【００１２】
また、本発明の画像処理装置は、カラー画像信号を複数のプレーンに分解する入力手段と、分解された複数のプレーンからカラー画像信号における白画素を判定する白画素判定手段と、白画素判定手段により白画素と判定された画素を分離する白画素分離手段と、分離された白画素のカラー画像信号における位置を記憶する位置情報記憶手段と、分離された白画素の輝度を濃度に変換する白画素濃度変換手段と、白画素の分離されたカラー画像信号に対して色変換またはガンマ補正を施すとともに当該カラー画像信号の輝度を濃度に変換する濃度変換処理を施す第３の画像処理手段と、第３の画像処理手段により処理されたカラー画像信号と分離され色変換およびガンマ補正を施さず白画素濃度変換手段により輝度が濃度に変換された白画素とを位置情報記憶手段に記憶された位置情報に基づいて再結合する白画素結合手段と、白画素の再結合されたカラー画像信号に解像度変換または二値化処理を施す第２の画像処理手段とを有する構成としたものである。
【００１３】
これにより、カラー画像処理における高速化を低コストで実現することが可能になる。
【００１４】
さらに、本発明の画像処理装置は、カラー画像信号を複数のプレーンに分解する入力手段と、分解された複数のプレーンからカラー画像信号における白画素を判定する白画素判定手段と、白画素判定手段により白画素と判定された画素を分離する白画素分離手段と、分離された白画素のカラー画像信号における位置を記憶する白画素位置情報記憶手段と、分解された複数のプレーンからカラー画像信号における黒画素を判定する黒画素判定手段と、黒画素判定手段により黒画素と判定された画素を分離する黒画素分離手段と、分離された黒画素のカラー画像信号における位置を記憶する黒画素位置情報記憶手段と、白画素および黒画素の分離されたカラー画像信号に対して色変換またはガンマ補正を施す第１の画像処理手段と、第１の画像処理手段により処理されたカラー画像信号と分離され色変換およびガンマ補正を施さない白画素および黒画素とを白画素位置情報記憶手段および黒画素位置情報記憶手段にそれぞれに記憶された位置情報に基づいて再結合する白黒画素結合手段と、白画素および黒画素の再結合されたカラー画像信号に解像度変換または二値化処理を施す第２の画像処理手段とを有する構成としたものである。
【００１５】
これにより、カラー画像処理における高速化を低コストで実現することが可能になる。
【００１６】
本発明の画像処理装置は、カラー画像信号を複数のプレーンに分解する入力手段と、白画素と判定されるあらかじめ設定された閾値と分解されたプレーンのレベルとを比較してカラー画像信号における白画素を判定する白画素判定手段と、白画素判定手段により白画素と判定された画素を分離する白画素分離手段と、分離された白画素のカラー画像信号における位置を記憶する位置情報記憶手段と、分離された白画素を一つの値にする白画素同値化手段と、白画素の分離されたカラー画像信号に対して色変換またはガンマ補正を施す第１の画像処理手段と、第１の画像処理手段により処理されたカラー画像信号と分離され色変換およびガンマ補正を施さず白画素同値化手段により一つの値にされた白画素とを位置情報記憶手段に記憶された位置情報に基づいて再結合する白画素結合手段と、白画素の再結合されたカラー画像信号に解像度変換または二値化処理を施す第２の画像処理手段とを有する構成としたものである。
【００１７】
これにより、カラー画像処理における高速化を低コストで実現することが可能になる。
【００１８】
そして、本発明の画像処理装置は、カラー画像信号を複数のプレーンに分解する入力手段と、注目画素の処理において周辺画素情報が必要とされる画像処理を施す第４の画像処理手段と、分解された複数のプレーンからカラー画像信号における白画素を判定する白画素判定手段と、白画素判定手段により白画素と判定された画素を分離する白画素分離手段と、分離された白画素のカラー画像信号における位置を記憶する位置情報記憶手段と、白画素の分離されたカラー画像信号に対して色変換またはガンマ補正を施す第１の画像処理手段と、第１の画像処理手段により処理されたカラー画像信号と分離され色変換およびガンマ補正を施さない白画素とを位置情報記憶手段に記憶された位置情報に基づいて再結合する白画素結合手段と、白画素の再結合されたカラー画像信号に解像度変換または二値化処理を施す第２の画像処理手段とを有する構成としたものである。
【００１９】
これにより、カラー画像処理における高速化を低コストで実現することが可能になる。
【００２０】
【発明の実施の形態】
本発明の請求項１に記載の発明は、カラー画像信号を複数のプレーンに分解する入力手段と、分解された複数のプレーンからカラー画像信号における白画素を判定する白画素判定手段と、白画素判定手段により白画素と判定された画素を分離する白画素分離手段と、分離された白画素のカラー画像信号における位置を記憶する位置情報記憶手段と、白画素の分離されたカラー画像信号に対して色変換またはガンマ補正を施す第１の画像処理手段と、第１の画像処理手段により処理されたカラー画像信号と分離され色変換およびガンマ補正を施さない白画素とを位置情報記憶手段に記憶された位置情報に基づいて再結合する白画素結合手段と、白画素の再結合されたカラー画像信号に解像度変換または二値化処理を施す第２の画像処理手段とを有する画像処理装置であり、カラー画像処理における高速化を低コストで実現することが可能になるという作用を有する。
【００２１】
本発明の請求項２に記載の発明は、カラー画像信号を複数のプレーンに分解する入力手段と、分解された複数のプレーンからカラー画像信号における白画素を判定する白画素判定手段と、白画素判定手段により白画素と判定された画素を分離する白画素分離手段と、分離された白画素のカラー画像信号における位置を記憶する位置情報記憶手段と、分離された白画素の輝度を濃度に変換する白画素濃度変換手段と、白画素の分離されたカラー画像信号に対して色変換またはガンマ補正を施すとともに当該カラー画像信号の輝度を濃度に変換する濃度変換処理を施す第３の画像処理手段と、第３の画像処理手段により処理されたカラー画像信号と分離され色変換およびガンマ補正を施さず白画素濃度変換手段により輝度が濃度に変換された白画素とを位置情報記憶手段に記憶された位置情報に基づいて再結合する白画素結合手段と、白画素の再結合されたカラー画像信号に解像度変換または二値化処理を施す第２の画像処理手段とを有する画像処理装置であり、カラー画像処理における高速化を低コストで実現することが可能になるという作用を有する。
【００２２】
本発明の請求項３に記載の発明は、カラー画像信号を複数のプレーンに分解する入力手段と、分解された複数のプレーンからカラー画像信号における白画素を判定する白画素判定手段と、白画素判定手段により白画素と判定された画素を分離する白画素分離手段と、分離された白画素のカラー画像信号における位置を記憶する白画素位置情報記憶手段と、分解された複数のプレーンからカラー画像信号における黒画素を判定する黒画素判定手段と、黒画素判定手段により黒画素と判定された画素を分離する黒画素分離手段と、分離された黒画素のカラー画像信号における位置を記憶する黒画素位置情報記憶手段と、白画素および黒画素の分離されたカラー画像信号に対して色変換またはガンマ補正を施す第１の画像処理手段と、第１の画像処理手段により処理されたカラー画像信号と分離され色変換およびガンマ補正を施さない白画素および黒画素とを白画素位置情報記憶手段および黒画素位置情報記憶手段にそれぞれに記憶された位置情報に基づいて再結合する白黒画素結合手段と、白画素および黒画素の再結合されたカラー画像信号に解像度変換または二値化処理を施す第２の画像処理手段とを有する画像処理装置であり、カラー画像処理における高速化を低コストで実現することが可能になるという作用を有する。
【００２３】
本発明の請求項４に記載の発明は、カラー画像信号を複数のプレーンに分解する入力手段と、白画素と判定されるあらかじめ設定された閾値と分解されたプレーンのレベルとを比較してカラー画像信号における白画素を判定する白画素判定手段と、白画素判定手段により白画素と判定された画素を分離する白画素分離手段と、分離された白画素のカラー画像信号における位置を記憶する位置情報記憶手段と、分離された白画素を一つの値にする白画素同値化手段と、白画素の分離されたカラー画像信号に対して色変換またはガンマ補正を施す第１の画像処理手段と、第１の画像処理手段により処理されたカラー画像信号と分離された色変換およびガンマ補正を施さず白画素同値化手段により一つの値にされた白画素とを位置情報記憶手段に記憶された位置情報に基づいて再結合する白画素結合手段と、白画素の再結合されたカラー画像信号に解像度変換または二値化処理を施す第２の画像処理手段とを有する画像処理装置であり、カラー画像処理における高速化を低コストで実現することが可能になるという作用を有する。
【００２４】
本発明の請求項５に記載の発明は、カラー画像信号を複数のプレーンに分解する入力手段と、注目画素の処理において周辺画素情報が必要とされる画像処理を施す第４の画像処理手段と、分解された複数のプレーンからカラー画像信号における白画素を判定する白画素判定手段と、白画素判定手段により白画素と判定された画素を分離する白画素分離手段と、分離された白画素のカラー画像信号における位置を記憶する位置情報記憶手段と、白画素の分離されたカラー画像信号に対して色変換またはガンマ補正を施す第１の画像処理手段と、第１の画像処理手段により処理されたカラー画像信号と分離された色変換およびガンマ補正を施さない白画素とを位置情報記憶手段に記憶された位置情報に基づいて再結合する白画素結合手段と、白画素の再結合されたカラー画像信号に解像度変換または二値化処理を施す第２の画像処理手段とを有する画像処理装置であり、カラー画像処理における高速化を低コストで実現することが可能になるという作用を有する。
【００２５】
以下、本発明の実施の形態について、図１から図１０を用いて説明する。なお、これらの図面において同一の部材には同一の符号を付しており、また、重複した説明は省略されている。
【００２６】
（実施の形態１）
図１は本発明の実施の形態１における画像処理装置を示すブロック図、図２は図１の画像処理装置の動作を示すフローチャートである。
【００２７】
図１に示すように、本実施の形態の画像処理装置は、入力カラー画像信号をＲ（赤）Ｇ（緑）Ｂ（青）信号に変換する入力手段１と、入力されたＲＧＢ各プレーンの輝度レベルより白画素を判定する白画素判定手段２と、白画素判定手段２において判定された白画素を分離する白画素分離手段３と、元のカラー画像信号上の白画素の位置情報を記憶する位置情報記憶手段４と、白画素分離手段３により白画素の分離された元のカラー画像信号に対して、色変換やガンマ補正などの所定の画像処理を施す第１の画像処理手段５と、白画素分離手段３により分離された白画素を第１の画像処理手段５により画像処理を施されたカラー画像信号に再結合する白画素結合手段６と、白画素が再結合されたカラー画像信号に解像度変換などの所定の画像処理を行う第２の画像処理手段７とからなる。
【００２８】
ここで、図１において、符号Ｆ１は入力画像信号、符号Ｆ２、符号Ｆ３、符号Ｆ４はそれぞれＲ信号、Ｇ信号、Ｂ信号を示す。また、符号Ｆ５は白画素の位置情報信号を示す。
【００２９】
なお、本実施の形態においては、カラー画像信号をＲＧＢのプレーンに分解しているが、本発明において、カラー画像信号はＲＧＢ以外のプレーンに分離してもよい。したがって、カラー画像信号は、輝度レベルではなく、濃度レベルで分離することもできる。
【００３０】
次に、本実施の形態の画像処理装置の動作について、図２を用いて説明する。
【００３１】
カラー画像信号は、スキャナやデジタルカメラなどの入力手段１によりＲＧＢの３プレーンを持つ輝度信号に変換される（ステップＳ０１）。
【００３２】
３プレーンに分けられた輝度信号は白画素判定手段２に入力され、注目画素に対して白画素判定が行われる（ステップＳ０２）。ここで、輝度信号がＲ＝Ｇ＝Ｂ＝２５５（８ｂｉｔの場合）であれば、その画素は白と判断される。
【００３３】
白と判定された画素は、次の白画素分離手段３において、もとのカラー画像信号から分離される（ステップＳ０３）。なお、分離される際には、後に再結合を行うために、元のカラー画像信号上の白画素の位置情報が、１画素１ビットの大きさで位置情報記憶手段４に記憶される。ここでは、白画素と判断された画素に対して１、そうでない画素に対して０が割り当てられる。
【００３４】
ステップＳ０２において白画素と判断されなかった画素、つまり白画素の分離されたカラー画像信号は、第１の画像処理手段５によって色変換やガンマ補正などの各種画像処理が施される（ステップＳ０４）。
【００３５】
そして、第１の画像処理手段５において画像処理を施されたカラー画像信号と白画素分離手段３により分離された白画素が白画素結合手段６に入力され、位置情報記憶手段４に記憶された位置情報に基づき、白画素がカラー画像信号の元の位置に再結合される（ステップＳ０５）。
【００３６】
このように白画素結合手段６により白画素が再結合されたカラー画像信号は、第２の画像処理手段７において解像度変換や二値化などの画像処理が施され（ステップＳ０６）、処理を完了する。
【００３７】
白画素はビジネス文書などの画像において、大きな割合を占めている。また、白画素は画像処理を施す必要がないため、入力から出力まで同じ画素値を持っておくことが可能である。
【００３８】
そこで、本実施の形態に示すように、白画素を含まないカラー画像信号に所定の画像処理を施した後に白画素を再結合することで、カラー画像処理における大幅な高速化を低コストで実現することが可能になる。
【００３９】
（実施の形態２）
図３は本発明の実施の形態２における画像処理装置を示すブロック図、図４は図３の画像処理装置の動作を示すフローチャートである。
【００４０】
図３に示すように、本実施の形態の画像処理装置は、入力カラー画像信号をＲＧＢ信号に変換する入力手段１と、入力されたＲＧＢ各プレーンの輝度レベルより白画素を判定する白画素判定手段２と、白画素判定手段２において判定された白画素を分離する白画素分離手段３と、元のカラー画像信号上の白画素の位置情報を記憶する位置情報記憶手段４と、分離された白画素の輝度を濃度に変換する白画素濃度変換手段８と、白画素分離手段３により白画素の分離された元のカラー画像信号に対して、色変換やガンマ補正などの所定画像処理と、輝度を濃度に変換する濃度変換処理を施す第３の画像処理手段９と、白画素分離手段３により分離された白画素を第３の画像処理手段９により画像処理を施されたカラー画像信号に再結合する白画素結合手段６と、白画素が再結合されたカラー画像信号に解像度変換などの所定の画像処理を行う第２の画像処理手段７とからなる。なお、画像処理の行われたカラー画像信号は、ハードコピー出力するプリンタなどの出力手段１０で出力される。
【００４１】
ここで、符号Ｆ６は白画素信号を示す。また、符号Ｆ７、符号Ｆ８、符号Ｆ９はそれぞれＣ信号、Ｍ信号、Ｙ信号を示す。符号Ｆ１０はハードコピー出力される出力画像信号を示す。
【００４２】
次に、本実施の形態の画像処理装置の動作について、図４を用いて説明する。
【００４３】
カラー画像信号はスキャナやデジタルカメラなどの入力手段１によりＲＧＢの３プレーンを持つ輝度信号に変換される（ステップＳ１１）。３プレーンに分けられた輝度信号は白画素判定手段２に入力され、注目画素に対して白画素判定が行われる（ステップＳ１２）。ここで、輝度信号がＲ＝Ｇ＝Ｂ＝２５５（８ｂｉｔの場合）であれば、その画素は白と判断される。
【００４４】
白と判定された画素は、次の白画素分離手段３において、もとのカラー画像信号から分離される（ステップＳ１３）。なお、分離される際には、後に再結合を行うために、元のカラー画像信号上の白画素の位置情報が１画素１ビットの大きさで位置情報記憶手段４に記憶される。ここでは、白画素と判断された画素に対して１、そうでない画素に対して０が割り当てられる。
【００４５】
次に、白画素信号は、白画素濃度変換手段８によりＲＧＢデータからＣＭＹデータに濃度変換される。具体的には、Ｒ＝Ｇ＝Ｂ＝２５５（８ｂｉｔの場合）からＣ＝Ｍ＝Ｙ＝０に変換される（ステップＳ１４）。
【００４６】
ステップＳ１２において白画素と判断されなかった画素、つまり白画素の分離されたカラー画像信号は、第３の画像処理手段９によって色変換やガンマ補正などの各種画像処理に加えて、ＲＧＢデータからＣＭＹデータに変換するための濃度変換が施される（ステップＳ１５）。
【００４７】
そして、第３の画像処理手段９において画像処理を施されたカラー画像信号と白画素分離手段３により分離された白画素とが白画素結合手段６に入力され、位置情報記憶手段４に記憶された位置情報に基づき、白画素がカラー画像信号の元の位置に再結合される（ステップＳ１６）。
【００４８】
このように白画素結合手段６により白画素が再結合されたカラー画像信号は、第２の画像処理手段７において解像度変換や二値化などの画像処理が施され（ステップＳ１７）、最後に出力画像信号Ｆ１０がプリンタなどの出力手段１０により可視化されて出力される。
【００４９】
白画素はビジネス文書などの画像において、大きな割合を占めている。また、白画素は画像処理を施す必要がないため、入力から出力まで同じ画素値を持っておくことが可能である。
【００５０】
そこで、本実施の形態に示すように、白画素を含まないカラー画像信号に所定の画像処理と濃度変換処理を施した後に、濃度変換された白画素を再結合することで、カラー画像処理における大幅な高速化を低コストで実現することが可能になる。
【００５１】
（実施の形態３）
図５は本発明の実施の形態３における画像処理装置を示すブロック図、図６は図５の画像処理装置の動作を示すフローチャートである。
【００５２】
図５に示すように、本実施の形態の画像処理装置は、入力カラー画像信号をＲＧＢ信号に変換する入力手段１と、入力されたＲＧＢ各プレーンの輝度レベルより白画素を判定する白画素判定手段２と、白画素判定手段２において判定された白画素を分離する白画素分離手段３と、元のカラー画像信号上の白画素の位置情報を記憶する白画素位置情報記憶手段１７と、入力されたプレーンの輝度レベルより黒画素を判定する黒画素判定手段１１と、黒画素判定手段１１において判定された黒画素を分離する黒画素分離手段１２と、元のカラー画像信号上の黒画素の位置情報を記憶する黒画素位置情報記憶手段１３と、白画素分離手段３と黒画素分離手段１２により白画素および黒画素の分離された元のカラー画像信号に対して、色変換やガンマ補正などの所定の画像処理を施す第１の画像処理手段５と、白画素分離手段３および黒画素分離手段１２により分離された白画素および黒画素を第１の画像処理手段５により画像処理を施されたカラー画像信号に再結合する白黒画素結合手段１４と、白画素および黒画素が再結合されたカラー画像信号に解像度変換などの所定の画像処理を行う第２の画像処理手段７とからなる。
【００５３】
ここで、符号Ｆ１１は黒画素の位置情報信号を示す。
【００５４】
次に、本実施の形態の画像処理装置の動作について、図６を用いて説明する。
【００５５】
カラー画像信号は、スキャナやデジタルカメラなどの入力手段１によりＲＧＢの３プレーンを持つ輝度信号に変換される（ステップＳ２１）。
【００５６】
３プレーンに分けられた輝度信号は白画素判定手段２および黒画素判定手段１１に入力され、注目画素に対して白画素判定および黒画素判定が行われる（ステップＳ２２，ステップＳ２３）。ここで、輝度信号が、Ｒ＝Ｇ＝Ｂ＝２５５（８ｂｉｔの場合）であれば白画素と、Ｒ＝Ｇ＝Ｂ＝０であれば黒画素と判断される。
【００５７】
白画素と判定された画素は、白画素分離手段３において、もとのカラー画像信号から分離される（ステップＳ２４）。なお、分離される際には、後に再結合を行うために、元のカラー画像信号上の白画素の位置情報が１画素１ビットの大きさで白画素位置情報記憶手段１７に記憶される。ここでは、白画素と判断された画素に対して１、そうでない画素に対して０が割り当てられる。
【００５８】
同様に、黒と判定された画素は、黒画素分離手段１２において、もとのカラー画像から分離される（ステップＳ２５）。そして、分離される際には、後に再結合を行うために、元のカラー画像信号上の黒画素の位置情報が１画素１ビットの大きさで黒画素位置情報記憶手段１３に記憶される。ここでは、黒画素と判断された画素に対して１、そうでない画素に対して０が割り当てられる。
【００５９】
白画素および黒画素の分離されたカラー画像信号は、第１の画像処理手段５によって色変換やガンマ補正などの各種画像処理が施される（ステップＳ２６）。
【００６０】
そして、第１の画像処理手段５において画像処理の施されたカラー画像信号と白画素分離手段３により分離された白画素および黒画素分離手段１２により分離された黒画素が白黒画素結合手段１４に入力され、白画素位置情報記憶手段１７および黒画素位置情報記憶手段１３に記憶された位置情報に基づき、カラー画像信号の元の位置に再結合される（ステップＳ２７）。
【００６１】
白画素および黒画素が再結合されたカラー画像信号は、第２の画像処理手段７において解像度変換や二値化などの画像処理が施され（ステップＳ２８）、処理を完了する。
【００６２】
白画素はビジネス文書などの画像において、大きな割合を占めている。また、白画素および黒画素は画像処理を施す必要がないため、入力から出力まで同じ画素値を持っておくことが可能である。
【００６３】
そこで、本実施の形態に示すように、白画素および黒画素を含まないカラー画像信号に所定の画像処理を施した後に白画素および黒画素を再結合することで、カラー画像処理における大幅な高速化を低コストで実現することが可能になる。
【００６４】
（実施の形態４）
図７は本発明の実施の形態４における画像処理装置を示すブロック図、図８は図７の画像処理装置の動作を示すフローチャートである。
【００６５】
図７に示すように、本実施の形態の画像処理装置は、入力カラー画像信号をＲＧＢ信号に変換する入力手段１と、白画素と判定される輝度レベル閾値（閾値）があらかじめ設定され、入力されたプレーンの輝度レベルと閾値とを比較することで白画素を判定する白画素判定手段２と、白画素判定手段２において判定された白画素を分離する白画素分離手段３と、元のカラー画像信号上の白画素の位置情報を記憶する位置情報記憶手段４と、白画素分離手段３により分離された白画素を一つの値にする白画素同値化手段１５と、白画素分離手段３により白画素の分離された元のカラー画像信号に対して、色変換やガンマ補正などの所定の画像処理を施す第１の画像処理手段５と、白画素分離手段３により分離された白画素を第１の画像処理手段５により画像処理を施されたカラー画像信号に再結合する白画素結合手段６と、白画素が再結合されたカラー画像信号に解像度変換などの所定の画像処理を行う第２の画像処理手段７とからなる。
【００６６】
次に、本実施の形態の画像処理装置の動作について、図８を用いて説明する。
【００６７】
カラー画像信号は、スキャナやデジタルカメラなどの入力手段１によりＲＧＢの３プレーンを持つ輝度信号に変換される（ステップＳ３１）。
【００６８】
３プレーンに分けられた輝度信号は白画素判定手段２に入力され、注目画素に対して白画素判定が行われる（ステップＳ３２）。ここで、８ｂｉｔデータの場合には、たとえば（Ｒ＞２５０、Ｇ＞２５０、Ｂ＞２５０）が白画素と判定される。なお、それぞれの閾値は任意に設定可能であり、出力装置の色再現範囲などを考慮して決定するのが望ましい。
【００６９】
白と判定された画素は、次の白画素分離手段３において、もとのカラー画像信号から分離される（ステップＳ３３）。
【００７０】
そして、分離された白画素は、白画素同値化手段１５において、Ｒ＝Ｇ＝Ｂ＝２５５の値に変換される（ステップＳ３４）。
【００７１】
なお、白画素分離手段３で白画素が分離される際には、後に再結合を行うために、元のカラー画像信号上の白画素の位置情報が１画素１ビットの大きさで位置情報記憶手段４に記憶される。ここでは、白画素と判断された画素に対して１、そうでない画素に対して０が割り当てられる。
【００７２】
白画素の分離されたカラー画像信号は、第１の画像処理手段５によって色変換やガンマ補正などの各種画像処理が施される（ステップＳ３５）。
【００７３】
そして、第１の画像処理手段５において画像処理を施されたカラー画像信号と白画素分離手段３により分離された白画素とが白画素結合手段６に入力され、位置情報記憶手段４に記憶された位置情報に基づき、白画素がカラー画像信号の元の位置に再結合される（ステップＳ３６）。
【００７４】
このように白画素結合手段６により白画素が結合されたカラー画像信号は、第２の画像処理手段７において解像度変換や二値化などの画像処理が施され（ステップＳ３７）、処理を完了する。
【００７５】
白画素はビジネス文書などの画像において、大きな割合を占めている。また、白画素は画像処理を施す必要がないため、入力から出力まで同じ画素値を持っておくことが可能である。
【００７６】
そこで、本実施の形態に示すように、白画素を含まないカラー画像信号に所定の画像処理を施した後に白画素を再結合することで、カラー画像処理における大幅な高速化を低コストで実現することが可能になる。
【００７７】
（実施の形態５）
図９は本発明の実施の形態５における画像処理装置を示すブロック図、図１０は図９の画像処理装置の動作を示すフローチャートである。
【００７８】
図９に示すように、本実施の形態の画像処理装置は、入力カラー画像信号をＲＧＢ信号に変換する入力手段１と、入力されたカラー画像信号にローパスフィルタ処理などのように注目画素の処理において周辺画素の情報が必要とされる画像処理を行う第４の画像処理部１５と、入力されたＲＧＢ各プレーンの輝度レベルより白画素を判定する白画素判定手段２と、白画素判定手段２において判定された白画素を分離する白画素分離手段３と、元のカラー画像信号上の白画素の位置情報を記憶する位置情報記憶手段４と、白画素分離手段３により白画素の分離された元のカラー画像信号に対して、色変換やガンマ補正などの各種画像処理を施す画像処理手段５と、白画素分離手段３により分離された白画素を第１の画像処理手段５により画像処理を施されたカラー画像信号に再結合する白画素結合手段６と、白画素が再結合されたカラー画像信号に解像度変換などの所定の画像処理を行う第２の画像処理手段７からなる。
【００７９】
次に、本実施の形態の画像処理装置の動作について、図１０を用いて説明する。
【００８０】
カラー画像信号は、スキャナやデジタルカメラなどの入力手段１によりＲＧＢの３プレーンを持つ輝度信号に変換される（ステップＳ４１）。
【００８１】
３プレーンに分けられた輝度信号は第４の画像処理手段１６に入力され、ローパスフィルタやレジストずれ補正など、注目画素の周辺画素の値を必要とする画像処理が行われる（ステップＳ４２）。
【００８２】
次に、カラー画像信号は白画素判定手段２に入力され、注目画素に対して白画素判定が行われる（ステップＳ４３）。ここで、輝度信号がＲ＝Ｇ＝Ｂ＝２５５（８ｂｉｔの場合）であれば、その画素は白と判断される。
【００８３】
白と判定された画素は、次の白画素分離手段３において、もとのカラー画像信号から分離される（ステップＳ４４）。なお、分離される際には、後に再結合を行うために、元のカラー画像信号上の白画素の位置情報が１画素１ビットの大きさで位置情報記憶手段４に記憶される。ここでは、白画素と判断された画素に対して１、そうでない画素に対して０が割り当てられる。
【００８４】
白画素の分離されたカラー画像信号は、第１の画像処理手段５によって色変換やガンマ補正などの各種画像処理が施される（ステップＳ４５）。
【００８５】
そして、第１の画像処理手段５において画像処理を施されたカラー画像信号と白画素分離手段３により分離された白画素とが白画素結合手段６に入力され、位置情報記憶手段４に記憶された位置情報に基づき、白画素がカラー画像信号の元の位置に再結合される（ステップＳ４６）。
【００８６】
このように白画素結合手段６により白画素が再結合されたカラー画像信号は、第２の画像処理手段７において解像度変換や二値化などの画像処理が施され（ステップＳ４７）、処理を完了する。
【００８７】
白画素はビジネス文書などの画像において、大きな割合を占めている。また、白画素は画像処理を施す必要がないため、入力から出力まで同じ画素値を持っておくことが可能である。
【００８８】
そこで、本実施の形態に示すように、白画素を含まないカラー画像信号に所定の画像処理を施した後に白画素を再結合することで、カラー画像処理における大幅な高速化を低コストで実現することが可能になる。
【００８９】
【発明の効果】
以上のように、本発明によれば、カラー画像処理における高速化を低コストで実現することが可能になるという有効な効果が得られる。
【図面の簡単な説明】
【図１】本発明の実施の形態１における画像処理装置を示すブロック図
【図２】図１の画像処理装置の動作を示すフローチャート
【図３】本発明の実施の形態２における画像処理装置を示すブロック図
【図４】図３の画像処理装置の動作を示すフローチャート
【図５】本発明の実施の形態３における画像処理装置を示すブロック図
【図６】図５の画像処理装置の動作を示すフローチャート
【図７】本発明の実施の形態４における画像処理装置を示すブロック図
【図８】図７の画像処理装置の動作を示すフローチャート
【図９】本発明の実施の形態５における画像処理装置を示すブロック図
【図１０】図９の画像処理装置の動作を示すフローチャート
【符号の説明】
１  入力手段
２  白画素判定手段
３  白画素分離手段
４  位置情報記憶手段
５  第１の画像処理手段
６  白画素結合手段
７  第２の画像処理手段
８  白画素濃度変換手段
９  第３の画像処理手段
１１  黒画素判定手段
１２  黒画素分離手段
１３  黒画素位置情報記憶手段
１４  白黒画素結合手段
１５  白画素同値化手段
１６  第４の画像処理手段
１７  白画素位置情報記憶手段
【図１】
0004134441.tif 000002
【図２】
0004134441.tif 000003
【図３】
0004134441.tif 000004
【図４】
0004134441.tif 000005
【図５】
0004134441.tif 000006
【図６】
0004134441.tif 000007
【図７】
0004134441.tif 000008
【図８】
0004134441.tif 000009
【図９】
0004134441.tif 000010
【図１０】
0004134441.tif 000011